(57)【要約】【課題】  釘の打ち込み不可能な材料からなる遊技機枠を有する複数の遊技機が倒れないように固定する場合の遊技機固定装置の着脱操作の簡単化を図る。【解決手段】  横固定部材２１における釘の打ち込み可能な材料からなる横固定本体２３の横係合片３５が釘の打ち込み不可能な材料からなる遊技機枠１の上横片１２の横固定取付孔１８に上方から挿入され、縦固定部材２２における釘の打ち込み可能な材料からなる縦固定本体２６の縦係合片５１が遊技機枠１の左縦片１４の縦固定取付孔２０に左側から挿入され、縦固定本体２６の右面が左縦片１４の左面に重ね合わされた後、掛止体５６が横連結片４４に係合され、操作体５５が下方に回転操作されるのに伴い、横固定部材２１と縦固定部材２２とが互いに近づく方向に移動し、横係合片４４が上横片１２を挟むように支持し、横固定部材２１と縦固定部材２２とが遊技機枠１に取り付けられる。【選択図】        図１
2005143555.tif 000002
【特許請求の範囲】
【請求項１】
釘の打ち込み不可能な材料からなる四角形に形成された遊技機枠を固定するための遊技機固定装置において、遊技機枠の横片に横固定取付孔を形成し、上記遊技機枠の横片に隣接する縦片に縦固定取付孔を形成し、横片に着脱可能に取り付けられる横固定部材と、縦片に着脱可能に取り付けられる縦固定部材とを備え、横固定部材が、横片の外側面に重ね合わされる釘の打ち込み可能な材料からなる横固定本体と、横固定本体に設けられて横片の外側から横固定取付孔に挿入されて横固定部材の横方向への移動で横固定取付孔の周りの横片に係合する横係合具とを備え、縦固定部材が、縦片の外側面に重ね合わされる釘の打ち込み可能な材料からなる縦固定本体と、縦片の外側から縦固定取付孔に挿入されて縦固定部材の上方または下方への移動で縦固定取付孔の周りの縦片に係合する縦係合具とを備えたことを特徴とする遊技機固定装置。
【請求項２】
横固定本体と縦固定本体との一方が連結片を備え、他方が連結片に掛け止められる連結部材を備え、連結部材が操作体を備え、操作体が人の操作で横固定本体と縦固定本体とを互いに近づく方向に引き寄せて横係合具を横固定取付孔の周りの横片に係合するとともに縦係合具を縦固定取付孔の周りの縦片に係合することを特徴とする請求項１記載の遊技機固定装置。
【請求項３】
横係合具が横固定取付孔の周りの横片に係合する方向に傾斜する係合片を有し、係合片が横固定取付孔に挿入された場合に横片の外側から内側に突出する長さを有することを特徴とする請求項１記載の遊技機固定装置。
【請求項４】
縦係合具が縦固定取付孔の周りの縦片に係合する方向に傾斜する係合片を有し、係合片が縦固定取付孔に挿入された場合に縦片の外側から内側に突出する長さを有することを特徴とする請求項１記載の遊技機固定装置。
【請求項５】
横固定取付孔と縦固定取付孔との双方が大孔と小孔との連接された瓢箪形に形成され、横固定本体と縦固定本体との双方が係合本体を備え、各係合本体が、大孔よりも外径が小さくかつ小孔よりも外径の大きな係合部と、係合部よりも外径が小さくかつ小孔よりも外径の大きくしかも横片または縦片の厚さと略同じ厚さを有する弾性体とを備え、横固定本体が横片の外側面に重ね合わされるのに伴いまたは縦固定本体が縦片の外側面に重ね合わされるのに伴い、係合部が大孔を経由して横片または縦片の外側から内側に突出し、横固定本体の横方向の移動または縦固定本体の上方または下方への移動に伴い、弾性体が大孔から小孔に接触しつつ取り込まれることで、横固定部材が横片に着脱可能に取り付けられ、縦固定部材が縦片に着脱可能に取り付けられたことを特徴とする請求項１記載の遊技機固定装置。
【発明の詳細な説明】
【技術分野】
【０００１】
本発明は、釘の打ち込み不可能な材料からなる遊技機枠を有する複数の遊技機が倒れないように固定する、遊技機枠への着脱操作の簡単な遊技機固定装置に関する。
【背景技術】
【０００２】
パチンコ機において、遊技機枠をアルミニウム合金やマグネシウム合金のような金属または硬質合成樹脂のような、釘の打ち込み不可能な材料により形成することは、周知である。この場合、パチンコ機をパチンコ店の島と呼ばれるような遊技設置構造体に固定するための釘を挿入するための穴を、上記釘の打ち込み不可能な材料からなる遊技機枠に形成したり、上記釘を打ち込むための穴の部分に、軟質合成樹脂のような、釘の打ち込み可能な材料からなる詰物を装着することも、周知である。しかしながら、遊技機製造会社から遊技店に販売される製品として複数のパチンコ機を貨物自動車で運搬するにあたり、複数のパチンコ機を貨物自動車の荷台に積み込む場合、作業者が帯板状の木材からなる当板を複数のパチンコ機に差し渡すようにあてがった後、作業者が一寸釘または二寸釘のような釘をハンマーで当板と釘の打ち込み可能な材料からなる詰物に打ち込むことで、複数のパチンコ機が荷崩れしないように、連結している。この複数のパチンコ機を荷崩れしないように、当板と釘とで連結する場合、作業者は、パチンコ機にあてがった当板で覆われた釘の打ち込み可能な詰物の位置を勘で見当を付けて、釘を打ち込んでおり、多大な労力と時間がかかるという問題点があった。
【特許文献１】特開平７−１８５０９４号公報
【発明の開示】
【発明が解決しようとする課題】
【０００３】
解決しようとする問題点は、釘の打ち込み不可能な材料からなる遊技機枠を有する複数の遊技機が倒れないよう当板と釘とで連結する作業が大変であるという点である。
【課題を解決するための手段】
【０００４】
本発明の遊技機固定装置は、釘の打ち込み不可能な材料からなる四角形に形成された遊技機枠の横片に横固定取付孔を形成し、上記遊技機枠の横片に隣接する縦片に縦固定取付孔を形成し、横片に着脱可能に取り付けられる横固定部材と、縦片に着脱可能に取り付けられる縦固定部材とを備え、横固定部材が、横片の外側面に重ね合わされる釘の打ち込み可能な材料からなる横固定本体と、横固定本体に設けられて横片の外側から横固定取付孔に挿入されて横固定部材の横方向への移動で横固定取付孔の周りの横片に係合する横係合具とを備え、縦固定部材が、縦片の外側面に重ね合わされる釘の打ち込み可能な材料からなる縦固定本体と、縦片の外側から縦固定取付孔に挿入されて縦固定部材の上方または下方への移動で縦固定取付孔の周りの縦片に係合する縦係合具とを備えたことを主要な特徴とする。また、横固定本体と縦固定本体との一方が連結片を備え、他方が連結片に掛け止められる連結部材を備え、連結部材が操作体を備え、操作体が人の操作で横固定本体と縦固定本体とを互いに近づく方向に引き寄せて横係合具を横固定取付孔の周りの横片に係合するとともに縦係合具を縦固定取付孔の周りの縦片に係合したり、横係合具が横固定取付孔の周りの横片に係合する方向に傾斜する係合片を有し、係合片が横固定取付孔に挿入された場合に横片の外側から内側に突出する長さを有したり、縦係合具が縦固定取付孔の周りの縦片に係合する方向に傾斜する係合片を有し、係合片が縦固定取付孔に挿入された場合に縦片の外側から内側に突出する長さを有したり、横固定取付孔と縦固定取付孔との双方が大孔と小孔との連接された瓢箪形に形成され、横固定本体と縦固定本体との双方が係合本体を備え、各係合本体が、大孔よりも外径が小さくかつ小孔よりも外径の大きな係合部と、係合部よりも外径が小さくかつ小孔よりも外径の大きくしかも横片または縦片の厚さと略同じ厚さを有する弾性体とを備え、横固定本体が横片の外側面に重ね合わされるのに伴いまたは縦固定本体が縦片の外側面に重ね合わされるのに伴い、係合部が大孔を経由して横片または縦片の外側から内側に突出し、横固定本体の横方向の移動または縦固定本体の上方または下方への移動に伴い、弾性体が大孔から小孔に接触しつつ取り込まれることで、横固定部材が横片に着脱可能に取り付けられ、縦固定部材が縦片に着脱可能に取り付けられたりする。
【発明の効果】
【０００５】
本発明の遊技機固定装置は、釘の打ち込み不可能な材料からなる遊技機枠を有する複数の遊技機を貨物自動車で運搬するような場合、横固定部材を横片に着脱可能に取り付け、縦固定部材を縦片に着脱可能に取り付け、これら複数の遊技機枠に取り付けられた横固定部材の釘の打ち込み可能な材料からなる横固定本体に外側から当板を差し渡し、当該当板と複数の遊技機枠に取り付けられた横固定本体とを釘で結合する一方、これら複数の遊技機枠に取り付けられた縦固定部材の釘の打ち込み可能な材料からなる縦固定本体に外側から当板を差し渡し、当該当板と複数の遊技機枠に取り付けられた縦固定本体とを釘で結合することによって、複数の遊技機が倒れないように固定することができ、しかも、横固定部材の横係合具を横片の横固定取付孔に挿入して横片に係合し、縦固定部材の縦係合具を縦片の縦固定取付孔に挿入して縦片に係合することによって、横固定部材と縦固定部材との遊技機枠への着脱操作が簡単であるという利点がある。また、横固定本体と縦固定本体との一方が連結片を備え、他方が連結片に掛け止められる連結部材を備え、連結部材が操作体を備え、操作体が人の操作で横固定本体と縦固定本体とを互いに近づく方向に引き寄せて横係合具を横固定取付孔の周りの横片に係合するとともに縦係合具を縦固定取付孔の周りの縦片に係合すれば、横固定部材と縦固定部材との遊技機枠への係合が高くなるという利点がある。また、横係合具が横固定取付孔の周りの横片に係合する方向に傾斜する係合片を有し、係合片が横固定取付孔に挿入された場合に横片の外側から内側に突出する長さを有したり、縦係合具が縦固定取付孔の周りの縦片に係合する方向に傾斜する係合片を有し、係合片が縦固定取付孔に挿入された場合に縦片の外側から内側に突出する長さを有すれば、係合片が横片または縦片を挟む格好で支持し、横固定部材と縦固定部材との遊技機枠への係合が一層高くなるという利点がある。また、横固定取付孔と縦固定取付孔との双方が大孔と小孔との連接された瓢箪形に形成され、横固定本体と縦固定本体との双方が係合本体を備え、各係合本体が、大孔よりも外径が小さくかつ小孔よりも外径の大きな係合部と、係合部よりも外径が小さくかつ小孔よりも外径の大きくしかも横片または縦片の厚さと略同じ厚さを有する弾性体とを備え、横固定本体が横片の外側面に重ね合わされるのに伴いまたは縦固定本体が縦片の外側面に重ね合わされるのに伴い、係合部が大孔を経由して横片または縦片の外側から内側に突出し、横固定本体の横方向の移動または縦固定本体の上方または下方への移動に伴い、弾性体が大孔から小孔に接触しつつ取り込まれることで、横固定部材が横片に着脱可能に取り付けられ、縦固定部材が縦片に着脱可能に取り付けられれば、横固定本体と縦固定本体との構造が簡素なものとなるという利点がある。
【発明を実施するための最良の形態】
【０００６】
図１−図１３は第１実施形態である。図１は遊技機固定装置を分解して示す。図２は横固定部材２１における横固定本体２３と横係合具２４とを分解して示す。図３は横固定本体２３と横係合具２４との組立内部構造を示す。図４は横固定本体２３と横連結具２５とを分解して示す。図５は横固定本体２３と横連結具２５との組立内部構造を示す。図６は縦固定部材２２を分解して示す。図７は縦固定部材２２における縦固定本体２６と縦係合具２７との組立内部構造を示す。図８は縦固定本体２６と縦連結部材２８との組立内部構造を示す。図９および図１０は横固定部材２１と縦固定部材２２とを遊技機枠１に取り付ける工程を示す。図１１は遊技機固定装置の使い方を示す。図１２は複数の横固定部材２１の積層形態を示す。図１３は複数の縦固定部材２２の積層形態を示す。
【０００７】
図１を参照し、遊技機固定装置について、貨物自動車で運搬される複数の遊技機としてパチンコ機を倒れないように固定する場合を例として説明する。パチンコ機では、四角形な額縁状に形成された外枠と呼ばれる遊技機枠１が、上ヒンジ２と下ヒンジ３とを備える。四角形な額縁状に形成された前枠や内枠と呼ばれる可動枠４が、上ヒンジ５と下ヒンジ６と図外のロック機構とを備える。
【０００８】
そして、遊技機枠１の上ヒンジ２と可動枠４の上ヒンジ５とが互いにヒンジの回転中心を構成する軸と軸受孔との嵌め合いで回転可能に連結され、遊技機枠１の下ヒンジ３と可動枠４の下ヒンジ６とが互いにヒンジの回転中心を構成する軸と軸受孔との嵌め合いで回転可能に連結されることで、可動枠４が遊技機枠１に左側を回転中心として前側横方向に片開き可能に取り付けられる。遊技機枠１に開閉可能に取り付けられた可動枠４は、閉じられると、ロック機構で遊技機枠１のフック７に固定される。可動枠４が遊技機枠１に固定された状態において、人が可動枠４の前側から図外のキープレートである鍵を施錠装置Ａの鍵穴ａに挿入して鍵を例えば右に９０度回転すると、ロック機構とフック７との係合が解除される。その状態において、人が可動枠４を前側に引くと、可動枠４は片開きされる。
【０００９】
可動枠４の前部には、窓を覆うガラスまたは合成樹脂よりなる光透過性の有る無色のパネル８を有する前飾りまたはガラス枠と呼ばれる開閉枠９と、遊技媒体である球を受ける球皿１０と、ハンドルグリップと呼ばれる発射操作機構１１と施錠装置Ａとを備える。開閉枠９および球皿１０は、可動枠４に、左側の図外のヒンジで前側横方向に片開き可能に取り付けられる。可動枠４の内部には、図外の機構枠やリヤプレートと呼ばれる遊技盤収納部構成体と、図外の発射機構と、図外のロック機構とを備える。
【００１０】
そして、可動枠４に開閉可能に取り付けられた開閉枠９は、人によって後側に押されて閉じられると、ロック機構で可動枠４の図外のフックに固定される。開閉枠９が可動枠４に固定された状態において、人が可動枠４の前側から図外のキープレートである鍵を施錠装置Ａの鍵穴ａに挿入して鍵を例えば左に９０度回転すると、ロック機構とフックとの係合が解除される。その状態において、人が開閉枠９を前側に引くと、開閉枠９は片開きされる。その状態において、遊技盤Ｂが遊技盤収納部構成体で形成された収納室に格納された後、開閉枠９が人により閉じられて可動枠４に固定される。
【００１１】
球皿１０は、裏面に図外のロック機構を備える。開閉枠９の開けられた状態において、可動枠４に開閉可能に取り付けられた球皿１０は、人によって後側に押されて閉じられると、ロック機構で可動枠４の図外のフックに固定される。その状態において、人が球皿１０または可動枠４に設けられた図外の解除操作体を操作すると、ロック機構とフックとの係合が解除される。その状態において、球皿１０を前側に引くと、球皿１０は片開きされる。遊技機枠１は、釘の打ち込み不可能な材料により、額縁状を形成する上下横片１２；１３と左右縦片１４；１５と幕板１６とが結合された形態に構成される。釘の打ち込み不可能な材料は、アルミニウム合金やマグネシウム合金のような金属、または、硬質合成樹脂である。硬質合成樹脂は、例えば、メラミンフェノールなどの熱硬化性樹脂、熱硬化性樹脂にガラスや金属などの繊維または粒あるいは粉末などの混合された配合樹脂である。
【００１２】
第１実施形態では、遊技機枠１の上横片１２と左縦片１４とに遊技機固定装置の横固定部材２１と縦固定部材２２とを着脱可能に取り付ける場合を例として説明する。よって、上横片１２には、釘挿入孔１７と横固定取付孔１８とを備える。釘挿入孔１７および横固定取付孔１８は、上横片１２の左右に個別に設けられる。釘挿入孔１７は、遊技機枠１を遊技設置構造体に取り付けるための釘の胴部を挿入する上下方向に貫通した孔である。横固定取付孔１８は、遊技機固定装置の横固定部材２１を遊技機枠１に取り付けるための上下方向に貫通した孔である。
【００１３】
下横片１３には、釘挿入孔１９を備える。釘挿入孔１９は、下横片１３の左右に個別に設けられる。釘挿入孔１９は、遊技機枠１を遊技設置構造体に取り付けるための釘の胴部を挿入する上下方向に貫通した孔である。左縦片１４の下部には縦固定取付孔２０を備える。縦固定取付孔２０は、遊技機固定装置の縦固定部材２２を遊技機枠１に取り付けるための左右方向に貫通した孔である。例えば、遊技機枠１を遊技設置構造体に取り付ける釘として一寸釘または二寸釘を使用する場合、釘挿入孔１９の口径は、当該釘の胴部の外径よりも大きいが、当該釘の頭部の外径よりも小さい。縦固定取付孔２０の口径は、一寸釘または二寸釘の頭部の外径よりも大きい。
【００１４】
遊技機固定装置は、横固定部材２１と縦固定部材２２とを備える。横固定部材２１は、遊技機枠１の上横片１２に着脱可能に取り付けられる部材であって、横固定本体２３と横係合具２４と横連結具２５とを備える。横固定本体２３は、釘の打ち込み可能な材料により、遊技機枠１の上横片１２の前後幅よりも小さな前後幅と上横片１２の左右の横幅よりも短い横幅とを有する帯板状である。横固定本体２３の横幅は、上横片１２における左右の横幅の１／２以上であり、４／５以上であれば、パチンコ機を安定に連結できる観点から好ましい。縦固定部材２２は、遊技機枠１の左縦片１４に着脱可能に取り付けられる部材であって、縦固定本体２６と縦係合具２７と縦連結部材２８とを備える。縦固定本体２６は、釘の打ち込み可能な材料により、遊技機枠１の左縦片１４の前後幅よりも小さな前後幅と左縦片１４の上下の縦幅よりも短い縦幅とを有する帯板状である。縦固定本体２６の縦幅は、左縦片１４における上下の縦幅の１／２以上であり、３／５以上であれば、パチンコ機を安定に連結できる観点から好ましい。横固定本体２３や縦固定本体２６における釘の打ち込み可能な材料は、自然木材や合板のような木材、又は、軟質合成樹脂である。軟質合成樹脂は例えば、ＡＢＳ、ＰＳ、ＡＳ、ＰＰ、ＰＣなどの熱可塑性樹脂である。
【００１５】
図２を参照し、横固定部材２１における横固定本体２３と横係合具２４との内部構造について説明する。横固定本体２３は、横固定本体２３の長手方向中間部に、横固定収納部３１と横逃孔３２とを備える。横固定収納部３１は、横固定本体２３の下面から内部に窪む凹状に形成された形態であって、横固定本体２３の左右に個別に設けられる。横逃孔３２は、横固定収納部３１の上面と横固定本体２３の上面とに貫通する孔であって、横固定収納部３１に取り付けられた横係合具２４の加工残渣孔３３と上下方向で対向する位置に設けられる。横係合具２４は、横固定本体２３よりも剛性の有る材料からなる部材であって、方形板状な横係合具基体３４の中央部に片持ち梁状に斜めに切り起こされた横係合片３５を備え、横係合具基体３４の周辺部に取付孔３６を備える。
【００１６】
横係合具２４における横固定本体２３よりも剛性の強い材料は、鉄やステンレスあるいはアルミニウムのような金属である。取付孔３６は、横係合具２４を上横片１２に取り付ける固着具としての木ねじ３７の胴部を挿入するための上下方向に貫通する貫通孔と横係合具基体３４の下面に木ねじ３７の頭部を挿入するすり鉢状に形成された傾斜孔とを上下方向に同軸状に連接した、皿穴になっている。横係合片３５の周りで横係合具基体３４に形成された孔は、横係合具基体３４から横係合片３５を切り起こす加工で形成される残渣孔（加工残渣孔という）３３である。
【００１７】
図３を参照し、横固定本体２３と横係合具２４との組立構造について説明する。横係合片３５が下側に向けられた形態で、横係合具基体３４が横固定収納部３１に嵌め込まれ、木ねじ３７が取付孔３６から横固定本体２３に締結されることによって、横係合具２４が横固定本体２３の下面に固定され、横係合片３５の先端部が横固定本体２３から下方斜めに突出する。この横係合片３５の先端部と横固定本体２３の下面との間の寸法Ｈ１は、図１の上横片１２の厚さＨ２よりも大きい。横係合具２４と横固定本体２３とを固定した木ねじ３７の胴部は、横固定本体２３の上面より上方に突出しない。横係合具２４と横固定本体２３とを固定した木ねじ３７の頭部、横固定本体２３と固定した横係合具２４は、横固定本体２３の下面よりも下方に突出しない。
【００１８】
図４を参照し、横固定部材２１における横固定本体２３と横連結具２５との内部構造について説明する。横固定本体２３は、横固定本体２３の長手方向一端部である左端部に、横連結具収納部３８を備える。横連結具収納部３８は、横固定本体２３の上面から内部に窪む凹状に形成された形態である。横連結具２５は、横固定本体２３よりも剛性の有る材料からなる部材であって、帯板状の部材を折り曲げて、方形板状な横連結具基体３９と、横連結具基体３９の一端から斜め下方に延びる横斜壁４０と、横斜壁４０の一端から下方に延びる横連結壁４１とを連接した形態である。横連結具２５における横固定本体２３よりも剛性の強い材料は、鉄やステンレスあるいはアルミニウムのような金属である。
【００１９】
横連結具基体３９には取付孔４２を備える。取付孔４２は、横連結具２５を横固定本体２３に取り付ける固着具としての木ねじ４３の胴部を挿入するための上下方向に貫通する貫通孔と横連結具基体３９の上面に木ねじの頭部を挿入するすり鉢状に形成された傾斜孔とを上下方向に同軸状に連接した、皿穴になっている。横連結壁４１の中央には、フック状の横連結片４４が片持ち梁状に下方から上方に向けて弧状に切り起こされる。横連結片４４の周りで横連結壁４１に形成された孔は、横連結壁４１から横連結片４４を切り起こす加工で形成される残渣孔（加工残渣孔という）４５である。
【００２０】
図５を参照し、横固定本体２３と横連結具２５との組立構造について説明する。横連結片４４が左外側に向けられた形態で、横連結具基体３９が横連結具収納部３８に嵌め込まれ、木ねじ４３が取付孔４２から横固定本体２３に締結されることによって、横連結具２５が横固定本体２３の上面に固定され、横斜壁４０および横連結壁４１が横固定本体２３の左端から横方向外側に突出する。横連結具２５と横固定本体２３とを固定した木ねじ４３の胴部は、横固定本体２３の下面よりも下方に突出しない。横連結具２５と横固定本体２３とを固定した木ねじ４３の頭部、横固定本体２３と固定した横連結具２５は、横固定本体２３の上面よりも上方に突出しない。横固定本体２３の左端から横方向外側に突出した横連結壁４１は、横固定本体２３の左端面と平行ではなく、上方から下方に行くに従って、横固定本体２３の左端面から徐々に横方向外側に離れる傾きを呈する。
【００２１】
図６を参照し、縦固定部材２２における縦固定本体２６と縦係合具２７と縦連結部材２８との内部構造について説明する。縦固定本体２６は、縦固定具収納部４６と縦逃孔４７と縦連結部材収納部４８とを備える。縦固定具収納部４６は、縦固定本体２６の右面から内部に窪む凹状に形成された形態であって、縦固定本体２６の下部に設けられる。縦逃孔４７は、縦固定具収納部４６の左面と縦固定本体２６の左面とに貫通する孔であって、縦固定具収納部４６に取り付けられた縦固定部材２２の加工残渣孔４９と左右方向で対向する位置に設けられる。縦連結部材収納部４８は、縦固定本体２６の左面から内部に窪む凹状に形成された形態であって、縦固定本体２６の上端部に設けられる。
【００２２】
縦係合具２７は、縦固定本体２６よりも剛性の強い材料からなる部材であって、方形板状な縦係合具基体５０の中央部に片持ち梁状に斜めに切り起こされた縦係合片５１を備え、縦係合具基体５０の周辺部に取付孔５２を備える。取付孔５２は、縦係合具２７を左縦片１４に取り付ける固着具としての木ねじ５３の胴部を挿入するための左右方向に貫通する貫通孔と縦係合具基体５０の右面に木ねじ５３の頭部を挿入するすり鉢状に形成された傾斜孔とを左右方向に同軸状に連接した、皿穴になっている。縦係合片５１の周りで縦係合具基体５０に形成された孔は、縦係合具基体５０から縦係合片５１を切り起こす加工で形成される残渣孔（加工残渣孔という）４９である。
【００２３】
縦連結部材２８は、縦連結部材基体５４と操作体５５と掛止体５６とを備える。縦連結部材基体５４は縦固定本体２６よりも剛性の強い材料からなる部材であって、帯板状の部材を折り曲げて、方形板状な基体取付片５７と、基体取付片５７の上端から右横方向に延びる段差壁５８と、段差壁５８の右端から上方に延びる縦壁５９とを連接した形態である。基体取付片５７には取付孔６０を備える。取付孔６０は、縦連結部材２８を左縦片１４に取り付ける固着具としての木ねじ６１の胴部を挿入するための左右方向に貫通する貫通孔と基体取付片５７の左面に木ねじ６１の頭部を挿入するすり鉢状に形成された傾斜孔とを左右方向に同軸状に連接した、皿穴になっている。
【００２４】
縦壁５９には、補強壁６２と支点取付壁６３とロック壁６４とが上方から下方に向けて順に配置される。補強壁６２は、縦壁５９の上端部における前後縁から左側に折り曲げ形成されて前後方向で相対峙する形態である。支点取付壁６３は、縦壁５９の補強壁６２よりも下部に位置する中間部における前後縁から左側に折り曲げ形成されて前後方向で相対峙する形態である。支点取付壁６３には、支点取付孔６５が形成される。ロック壁６４は、縦壁５９の支点取付壁６３よりも下部に位置する中間部における前後縁から左側に折り曲げ形成されて前後方向で相対峙する形態である。ロック壁６４には、ロック部６６を備える。ロック部６６はロック壁６４の一部が内側から外側に押し出された形態である。支点取付壁６３とロック壁６４との間には、掛止体５６を逃げるための空間６７が形成される。
【００２５】
操作体５５は、縦固定本体２６よりも剛性の強い材料からなる部材であって、操作基壁６８と操作取付壁６９とを備える。操作基壁６８は、左右に細長い長方形の帯板状である。操作取付壁６９は、操作基壁６８の右半部における前後縁から下方に折り曲げられて形成された前後方向で相対峙する形態である。操作取付壁６９には、支点取付孔７０と掛止体取付孔７１とロック受部７２とが右側から左側に順に配置される。そして、操作取付壁６９が支点取付壁６３に嵌め込まれる。この嵌め込まれた形態は、操作取付壁６９が外側で、支点取付壁６３が内側になる。その後、縦固定本体２６よりも剛性の強い材料から軸として形成された頭付きピン７３が、操作取付壁６９の支点取付孔７０と支点取付壁６３の支点取付孔６５とに回転可能に挿入され、頭付きピン７３の操作取付壁６９よりも外側に突出した先端部が支点取付孔６５よりも大きな外形を有する形態に押し潰されることによって、頭付きピン７３が操作体５５と縦壁５９とに回転可能にかつ抜け止めされた形態で取り付けられる。
【００２６】
掛止体５６は、縦固定本体２６よりも剛性の強い材料からなる丸棒状の部材であって、中央の掛止部７４と、掛止部７４の両側から同方向に相対峙する格好に折り曲げられた腕部７５と、腕部７５から内側に折り曲げられた結合部７６とを連接した形態である。そして、相対峙する結合部７６が操作取付壁６９の前後方向外側から掛止体取付孔７１に回転可能に挿入され、操作取付壁６９よりも内側に突出した結合部７６の先端部が掛止体取付孔７１よりも大きな外形を有する形態に押し潰されることによって、掛止体５６が操作体５５に回転可能にかつ抜け止めされた形態で取り付けられる。このように縦連結部材基体５４と操作体５５と掛止体５６とが互いに１つに組み合わされることによって縦連結部材２８を構成する。
【００２７】
図７を参照し、縦固定本体２６と縦係合具２７との組立構造について説明する。縦係合片５１が右側に向けられた形態で、縦係合具基体５０が縦固定具収納部４６に嵌め込まれ、木ねじ５３が取付孔５２から縦固定本体２６に締結されることによって、縦係合具２７が縦固定本体２６の右面に固定され、縦係合片５１の先端部が縦固定本体２６から上方斜めに突出する。この縦係合片５１の先端部と縦固定本体２６の右面との間の寸法Ｈ３は、図１の左縦片１４の厚さＨ４よりも大きい。縦係合具２７と縦固定本体２６とを固定した木ねじ５３の胴部は、縦固定本体２６の左面よりも左方に突出しない。縦係合具２７と縦固定本体２６とを固定した木ねじ５３の頭部、縦固定本体２６と固定した縦係合具２７は、縦固定本体２６の右面よりも右方に突出しない。
【００２８】
図８を参照し、縦連結部材基体５４と操作体５５と掛止体５６とからなる縦連結部材２８と縦固定本体２６との組立構造について説明する。掛止体５６が左外側に向けられた形態で、基体取付片５７が縦連結部材収納部４８に嵌め込まれ、木ねじ６１が基体取付片５７の取付孔６０から縦固定本体２６に締結されることによって、縦連結部材２８が縦固定本体２６の左面に固定され、段差壁５８および縦壁５９が縦固定本体２６の上端から上方向外側に突出する。この突出した縦壁５９は、縦固定本体２６の右板面と平行である。縦連結部材２８と縦固定本体２６とを固定した木ねじ６１の頭部は、縦固定本体２６の左面よりも左方に突出しない。縦連結部材２８と縦固定本体２６とを固定した木ねじ６１の胴部、縦固定本体２６と固定した縦連結部材２８は、縦固定本体２６の右面よりも右方に突出しない。つまり、縦固定本体２６に固定された縦連結部材２８の操作体５５および掛止体５６が、図８に示すように、縦連結部材基体５４の側に近づけられた場合、縦連結部材２８は、縦固定本体２６の左面と右面の間の厚さ内に収まる。
【００２９】
図９および図１０を参照し、横固定部材２１と縦固定部材２２とを遊技機枠１に取り付ける場合について説明する。図９のａ図において、横固定部材２１における横固定本体２３の下面が遊技機枠１の上横片１２の上面と向かい合わせられ、横係合具２４の横係合片３５が上横片１２の横固定取付孔１８と向かい合わせられる。そして、図９のｂ図に示すように、横固定部材２１が遊技機枠１に向けてまっすぐ下降され、横係合片３５が横固定取付孔１８に上方から下方に直線的に挿入され、横固定本体２３の下面が遊技機枠１の上横片１２の上面に接触して重ね合わされる。次に、図９のｃ図において、横固定本体２３の下面が上横片１２の上面に接触して重ね合わされたまま、横固定部材２１が上横片１２に沿って左側に移動されると、横係合片３５の横係合具基体３４との挟角度の鋭角な側が横固定取付孔１８の周りの上横片１２を上下方向で挟むように支持する。この図９のｃ図の工程はなくてもよい。
【００３０】
その後、図１０のａ図において、縦固定部材２２における縦固定本体２６の右面が遊技機枠１の左縦片１４の左面と向かい合わせられ、縦係合具２７の縦係合片５１が左縦片１４の縦固定取付孔２０と向かい合わせられる。そして、図１０のｂ図に示すように、縦固定部材２２が遊技機枠１に向けてまっすぐ右側に動かされ、縦係合片５１が縦固定取付孔２０に左側から右側に直線的に挿入され、縦固定本体２６の右面が左縦片１４の左面に接触して重ね合わされる。次に、図１０のｃ図において、縦固定本体２６の右面が左縦片１４の左面に接触して重ね合わされたまま、人が、縦連結部材２８の操作体５５を上方に回転操作するとともに、縦連結部材２８における掛止体５６の掛止部７４を、横固定部材２１における横連結具２５の横連結片４４を左側から上方に越えた後に下降させて、横連結片４４に係合させる。
【００３１】
最後に、図１０のｄ図において、掛止部７４が横連結片４４に係合したまま、人が、操作体５５を下方に回転操作すると、横固定部材２１と縦固定部材２２とが互いに近づく方向に移動する。それに伴い、横係合片３５の横係合具基体３４との挟角度の鋭角な側が横固定取付孔１８の周りの上横片１２を上下方向で挟むように支持し、縦係合片５１の縦係合具基体５０との挟角度の鋭角な側が縦固定取付孔２０の周りの左縦片１４を左右方向で挟むように支持する。そして、掛止体５６と操作体５５との回転可能な結合点である結合部７６が、操作体５５と縦連結部材基体５４との回転可能な結合点である頭付きピン７３および掛止部７４と横連結片４４との係合点を左縦片１４の側に越えた後、操作体５５のロック受部７２と縦連結部材基体５４のロック部６６とが互いに嵌り合う。以上によって、横固定部材２１と縦固定部材２２とが遊技機枠１に取り付けられる。上記結合部７６が、頭付きピン７３および掛止部７４と横連結片４４との係合点を左縦片１４の側に越えることで、操作体５５が掛止部７４と横連結片４４との係合による反作用で上方に回転することはないが、上記ロック受部７２とロック部６６との嵌合によって、上記操作体５５の上方への回転阻止が高くなる。
【００３２】
図１１を参照し、パチンコ機を貨物自動車の荷台８０に積み込む場合について説明する。図１１のａ図に示すように、作業者は遊技機枠１と可動枠４とが互いに組み合わされた複数のパチンコ機を荷台８０に載せる。その場合、遊技機枠１の下横片１３が荷台８０の側となるように、かつ、複数のパチンコ機の前側が同じ方向に向くように、複数のパチンコ機が互いに接触しないように離された縦置き状態で荷台８０に整列配置される。上記遊技機枠１と組み合わされた可動枠４には、既に、図１に示すような、上下ヒンジ５；６、パネル８、開閉枠９、球皿１０、発射操作機構１１、施錠装置Ａ、遊技盤Ｂなどのパチンコ機を完成するために必要な部品が取り付けられている。つまり、貨物自動車に積み込まれるパチンコ機は、遊技機製造会社から遊技店に販売される製品である。これらのパチンコ機の遊技機枠１には、横固定部材２１と縦固定部材２２とが個別に取り付けられる。
【００３３】
次に、図１１のｂ図に示すように、複数のパチンコ機に差し渡される長さの帯板状の木材からなる当板８１を複数のパチンコ機における遊技機枠１に取り付けられた横固定部材２１における横固定本体２３（図１参照）の上にあてがう。その後、作業者が一寸釘または二寸釘のような釘をハンマーで当板８１から横固定本体２３に打ち込むことによって、釘が当板８１とパチンコ機の横固定本体２３とを結合する。この当板８１と横固定本体２３とを結合する釘には、当該釘の先端が横固定本体２３の下面に突き抜けることない長さのものを使用する。また、複数のパチンコ機に差し渡される長さの帯板状の木材からなる当板８２を複数のパチンコ機における遊技機枠１に取り付けられた縦固定部材２２における縦固定本体２６（図１参照）の上にあてがう。その後、作業者が一寸釘または二寸釘のような釘をハンマーで当板８２から縦固定本体２６に打ち込むことによって、釘が当板８２とパチンコ機の縦固定本体２６とを結合する。この当板８２と縦固定本体２６とを結合する釘には、当該釘の先端が縦固定本体２６の右面に突き抜けることない長さのものを使用する。
【００３４】
前記のように、横固定部材２１と縦固定部材２２と当板８１；８２と釘とで結合された複数のパチンコ機を運搬した貨物自動車が荷降ろし先に到着し、荷台８０から降ろされる場合、作業者が前記当板８１と横固定本体２３とを結合する釘、当板８２と縦固定本体２６とを結合する釘を取り外すとともに当板８１；８２を取り外す。その後、作業者が図１０のｄ図；ｃ図；ｂ図；ａ図、図９のｃ図；ｂ図；ａ図の順の操作を行うことによって、横固定部材２１と縦固定部材２２とが遊技機枠１から取り外される。
【００３５】
図１２および図１３を参照し、複数の横固定部材２１を保管したり、前記荷降ろしで遊技機枠１から取り外された横固定部材２１と縦固定部材２２とを貨物自動車で遊技機製造会社に返送したりする積層形態について説明する。図１２において、複数の横固定部材２１を積層する場合、上側における横固定部材２１の横連結具２５が下側における横固定部材２１の横連結具２５の上に重ね合わされる。この場合、上側における横連結具２５の横連結壁４１の先端が下側における横連結具２５の横連結片４４の窪みに挿入される。また、上側における横固定部材２１の横係合具２４の横係合片３５が下側における横固定部材２１の横固定本体２３の横逃孔３２に挿入される。これによって、上側における横固定部材２１の下面が下側における横固定部材２１の上面に接触して重ね合わせられる。結果として、複数の横固定部材２１が積層された形態は、崩れづらく、小嵩された形態となる。
【００３６】
図１３において、複数の縦固定部材２２を積層する場合、縦連結部材２８の操作体５５や掛止体５６が縦連結部材基体５４の側に折り畳まれる。そして、上側における縦固定部材２２の縦連結部材２８が下側における縦固定部材２２の縦連結部材２８の上に重ね合わされる。また、上側における縦固定部材２２の縦係合具２７の縦係合片５１が下側における縦固定部材２２の縦固定本体２６の縦逃孔４７に挿入される。これによって、上側における縦固定部材２２の右面が下側における縦固定部材２２の左面に接触した状態で、複数の縦固定部材２２の右面が下側となるように重ね合わせられる。結果として、複数の縦固定部材２２が積層された形態は、崩れづらく、小嵩された形態となる。
【００３７】
第１実施形態の構造によれば、作業者が横固定部材２１と縦固定部材２２とを遊技機枠１に取り付ける場合、横固定部材２１を手で持ち、横係合片３５を上横片１２の外側たる上側から遊技機枠１の横固定取付孔１８に挿入し、横固定本体２３を遊技機枠１の上横片１２の外側面たる上面に重ね合わせる一方（図９のｂ図参照）、縦固定部材２２を手で持ち、縦係合片５１を左縦片１４の外側たる左側から遊技機枠１の縦固定取付孔２０に挿入し、縦固定本体２６を左縦片１４の外側面たる左面に重ね合わせる（図１０のｂ図参照）。その状態において、人が縦連結部材２８の掛止体５６を横固定部材２１の横連結具２５の横連結片４４に係合させ、操作体５５を下方に回転操作すると、横固定部材２１が上横片１２に沿って横方向に移動し、縦固定本体２６が左縦片１４に沿って上方に移動する。これによって、横固定部材２１と縦固定本体２６とが遊技機枠１に沿って互いに近づく方向に移動し、横係合片３５の横係合具基体３４との挟角度の鋭角な側と横係合具基体３４とが、横固定取付孔１８の周りの上横片１２を挟むように支持した格好となり、横係合片３５が上横片１２と係合し（図９のｃ図参照）、縦係合片５１の縦係合具基体５０との挟角度の鋭角な側と縦係合具基体５０とが、縦固定取付孔２０の周りの左縦片１４を挟むように支持した格好となり、縦係合片５１が左縦片１４と係合する（図１０のｄ図参照）。これによって、横固定部材２１と縦固定部材２２とが遊技機枠１に接触しがたつきなく取り付けられる。この遊技機枠１に取り付けられた横固定部材２１と縦固定部材２２とを、作業者が遊技機枠１から取り外す場合、操作体５５を上方に回転操作し、前記掛止体５６と横連結片４４との係合を解除し、横固定部材２１と縦固定部材２２とを手で持ち遊技機枠１から引き離すことによって、横固定部材２１と縦固定部材２２とが遊技機枠１から取り外される。以上のように、横固定部材２１と縦固定部材２２との遊技機枠１への着脱操作が簡単である。
【００３８】
また、作業者が、遊技機枠１に取り付けられた横固定部材２１の横固定本体２３と縦固定部材２２の縦固定本体２６とに当板８１；８２を釘で固定する場合、当板８１と当板８１から側方に突出した横固定本体２３とを目で確認しながら、当板８１と横固定本体２３とに釘を打ち込むことができ、また、当板８２と当板８２から側方に突出した縦固定本体２６とを目で確認しながら、当板８２と縦固定本体２６とに釘を打ち込むことができるので、作業がやりやすいという利点がある。
【００３９】
図１４−図１７は第２実施形態である。図１４は遊技機固定装置を分解して示す。図１５は横固定部材２１の組立内部構造を示す。図１６は縦固定部材２２の組立内部構造を示す。図１７は横固定部材２１と縦固定部材２２とを遊技機枠１に取り付ける工程を示す。
【００４０】
図１４を参照し、遊技機固定装置について説明する。遊技機枠１の上横片１２には、遊技機固定装置の横固定部材２１を取り付けるための横固定取付孔９１を左右に個別に備える。横固定取付孔９１は、左側に口径の大きな上下方向に貫通した大孔９２と、右側に口径の小さな上下方向に貫通した小孔９３とが連接した瓢箪形である。小孔９３は、前後幅の口径を変えずに右側に延長した横長孔になっている。遊技機枠１の左縦片１４には、遊技機固定装置の縦固定部材２２を取り付けるための縦固定取付孔９４を上下に個別に備える。縦固定取付孔９４は、下側に口径の大きな左右方向に貫通した大孔９５と、上側に口径の小さな左右方向に貫通した小孔９６とが連接した瓢箪形である。小孔９６は、前後幅の口径を変えずに上側に延長した縦長孔になっている。横固定部材２１は、横固定本体２３に横係合具１０１を左右に備える。縦固定部材２２は、縦固定本体２６に縦係合具１０２を上下に備える。
【００４１】
図１５を参照し、横固定部材２１の内部構造について説明する。横固定本体２３は、横係合具１０１を取り付けるための上下方向に貫通する取付孔１０３を備える。取付孔１０３の周りにおける横固定本体２３の上面には、取付孔１０３よりも外径の大きなナット収納部１０４が横固定本体２３の上面から内部に窪む凹状に形成される。横係合具１０１は、係合本体１０５と弾性体１０６とナット１０７とを備える。係合本体１０５は、横固定本体２３よりも剛性の有る材料からなる部材であって、係合部１０８と段付部１０９とねじ棒１１０とが同軸状に上下方向に連接された形態である。係合部１０８の外径は、図１４の大孔９２の口径よりも小さいが、小孔９３の口径よりも大きい。段付部１０９の外径は、取付孔１０３の口径よりも大きいが、弾性体１０６の内径よりも小さい。段付部１０９の高さ（軸方向の寸法）は、図１に示す上横片１２の厚さＨ２と同じかまたはわずかに大きいというように、厚さＨ２と略同じである。ねじ棒１１０の外径は、取付孔１０３の口径よりも小さい。ねじ棒１１０の高さは、横固定本体２３の厚さよりも小さい。
【００４２】
弾性体１０６は、ゴムまたは弾性合成樹脂のような材料からなる円筒状である。弾性体１０６が段付部１０９に嵌め込まれた場合、弾性体１０６の外径は、大孔９２の口径よりも小さいが、小孔９３の口径よりも大きい。ナット１０７は、ねじ棒１１０に嵌合するねじ孔（孔内面に雌ねじの形成された孔）を有する。ナット１０７の外径は、ナット収納部１０４の口径よりも小さいが、取付孔１０３の口径よりも大きい。ナット１０７の厚さは、ナット収納部１０４の深さ（軸方向の寸法）よりも小さい。そして、弾性体１０６が段付部１０９に嵌め込まれた後、ねじ棒１１０が横固定本体２３の下側から取付孔１０３に挿入され、ナット１０７が横固定本体２３の上側からナット収納部１０４に位置するねじ棒１１０に締結される。これによって、横係合具１０１が横固定本体２３に取り付けられ、弾性体１０６と係合部１０８とが横固定本体２３の下面よりも下側に突出し、ナット１０７とねじ棒１１０とが横固定本体２３の上面よりも上方に突出しない。
【００４３】
図１６は、縦固定部材２２の内部構造について説明する。縦固定本体２６は、縦係合具１０２を取り付けるための左右方向に貫通する取付孔１１３を備える。取付孔１１３の周りにおける縦固定本体２６の左面には、取付孔１１３よりも外径の大きなナット収納部１１４が縦固定本体２６の左面から内部に窪む凹状に形成される。縦係合具１０２は、係合本体１１５と弾性体１１６とナット１１７とを備える。係合本体１１５は、縦固定本体２６よりも剛性の有る材料からなる部材であって、係合部１１８と段付部１１９とねじ棒１２０とが同軸状に左右方向に連接された形態である。係合部１１８の外径は、図１４の大孔９５の口径よりも小さいが、小孔９６の口径よりも大きい。段付部１１９の外径は、取付孔１１３の口径よりも大きいが、弾性体１１６の内径よりも小さい。段付部１１９の高さ（軸方向の寸法）は、図１に示す左縦片１４の厚さＨ４と同じかまたはわずかに大きいというように、厚さＨ４と略同じである。ねじ棒１２０の外径は、取付孔１１３の口径よりも小さい。ねじ棒１２０の高さは、縦固定本体２６の厚さよりも小さい。
【００４４】
弾性体１１６は、ゴムまたは弾性合成樹脂のような材料からなる円筒状である。弾性体１１６が段付部１１９に嵌め込まれた場合、弾性体１１６の外径は、大孔９５の口径よりも小さいが、小孔９６の口径よりも大きい。ナット１１７は、ねじ棒１２０に嵌合するねじ孔（孔内面に雌ねじの形成された孔）を有する。ナット１１７の外径は、ナット収納部１１４の口径よりも小さいが、取付孔１１３の口径よりも大きい。ナット１１７の厚さは、ナット収納部１１４の深さ（軸方向の寸法）よりも小さい。そして、弾性体１１６が段付部１１９に嵌め込まれた後、ねじ棒１２０が縦固定本体２６の右側から取付孔１１３に挿入され、ナット１１７が縦固定本体２６の左側からナット収納部１１４に位置するねじ棒１２０に締結される。これによって、縦係合具１０２が縦固定本体２６に取り付けられ、弾性体１１６と係合部１１８とが縦固定本体２６の右面よりも右側に突出し、ナット１１７とねじ棒１２０とが縦固定本体２６の左面よりも左側に突出しない。
【００４５】
図１７を参照し、横固定部材２１と縦固定部材２２とを遊技機枠１に取り付ける場合について説明する。図１７のａ図に示すように、作業者が横固定部材２１を手で持ち、横固定部材２１における左右の横係合具１０１と遊技機枠１における上横片１２の左右の横固定取付孔９１とを対向させる。また、作業者が縦固定部材２２を手で持ち、縦固定部材２２における上下の縦係合具１０２と遊技機枠１における左縦片１４の上下の縦固定取付孔９４とを対向させる。
【００４６】
図１７のｂ図に示すように、上記作業者が横係合具１０１と横固定取付孔９１とを対向させた後、横係合具１０１の係合部１０８を上横片１２の上側から横固定取付孔９１の大孔９２に挿入し、横固定本体２３の下面と上横片１２の上面とを接触させると、横係合具１０１の係合部１０８が大孔９２を経由して上横片１２の外側から内側つまり上側から下側に突出し、弾性体１０６が大孔９２の内部に配置される。その状態において、作業者が横固定本体２３を右側に移動すると、弾性体１０６が大孔９２から小孔９３に移動し、この弾性体１０６が大孔９２から小孔９３に移動する場合、弾性体１０６が小孔９３の孔内面から押圧力を受けることで内径方向に縮むとともに軸方向に伸びる一方、係合部１０８が小孔９３の周りの横固定本体２３の下面に移動する。これによって、横固定部材２１が上横片１２に固定される。
【００４７】
また、上記作業者が縦係合具１０２と縦固定取付孔９４とを対向させた後、縦係合具１０２の係合部１１８を左縦片１４の左側から縦固定取付孔９４の大孔９５に挿入し、縦固定本体２６の右面と左縦片１４の左面とを接触させると、縦係合具１０２の係合部１１８が大孔９５を経由して左縦片１４の外側から内側つまり左側から右側に突出し、弾性体１１６が大孔９５の内部に配置される。その状態において、作業者が縦固定本体２６を上側に移動すると、弾性体１１６が大孔９５から小孔９６に移動し、この弾性体１１６が大孔９５から小孔９６に移動する場合、弾性体１１６が小孔９６の孔内面から押圧力を受けることで内径方向に縮むとともに軸方向に伸びる一方、係合部１１８が小孔９６の周りの縦固定本体２６の右面に移動する。これによって、縦固定部材２２が左縦片１４に固定される。
【００４８】
第２実施形態の構造によれば、横固定部材２１が同じ形態の複数の横係合具１０１を備え、縦固定部材２２が同じ形態の複数の縦係合具１０２を備えたので、横固定部材２１と縦固定部材２２との構造が簡素なものとなる。
【産業上の利用可能性】
【００４９】
上横片１２に、遊技機枠１を遊技設置構造体に取り付けるための釘挿入孔１７と、横固定部材２１を遊技機枠１に取り付けるための横固定取付孔１８とを個別に設けたが、上横片１２に釘挿入孔１７を設けずに横固定取付孔１８を設け、横固定取付孔１８を利用して遊技機枠１を遊技設置構造体に取り付けてもよい。その場合、次のような座金を用いる必要はある。当該座金は、横固定取付孔１８よりも外径の大きな板状であって、その中央部に、遊技機枠１を遊技設置構造体に取り付けるための釘の胴体の挿入し得る釘挿入孔１７に相当する釘挿入孔を備える。そして、座金が上横片１２の内側面たる下面にあてがわれ、遊技機枠１を遊技設置構造体に取り付けるための釘の胴体が上横片１２の内側から座金の釘挿入孔を経由して遊技設置構造体に打ち込まれることによって、遊技機枠１を遊技設置構造体に取り付けるための釘の頭部が釘挿入孔の周りの座金に受け止められることによって、遊技機枠１の上横片１２が遊技設置構造体に取り付けられる。この座金の釘挿入孔１７の周りに、横固定取付孔１８の内面に接触するような凸部を形成すれば、上横片１２の下面にあてがわれた座金が横ずれしない。また、横固定部材２１を上横片１２に取り付け、縦固定部材２２を右縦片１５に取り付けてもよい。また、横固定部材２１を下横片１３に取り付け、縦固定部材２２を左縦片１４に取り付けてもよい。また、横固定部材２１を下横片１３に取り付け、縦固定部材２２を右縦片１５に取り付けてもよい。
【図面の簡単な説明】
【００５０】
【図１】遊技機固定装置を示す分解斜視図（第１実施形態）。
【図２】横固定本体と横係合具とを示す分解斜視図（第１実施形態）。
【図３】横固定本体と横係合具との組立構造を示す断面図（第１実施形態）。
【図４】横固定本体と横連結具とを示す分解斜視図（第１実施形態）。
【図５】横固定本体と横連結具との組立構造を示す断面図（第１実施形態）。
【図６】縦固定部材を示す分解斜視図（第１実施形態）。
【図７】縦固定本体と縦係合具との組立構造を示す断面図（第１実施形態）。
【図８】縦固定本体と縦連結部材との組立構造を示す断面図（第１実施形態）。
【図９】横固定部材と縦固定部材との取付工程を示す工程図（第１実施形態）。
【図１０】横固定部材と縦固定部材との取付工程を示す工程図（第１実施形態）。
【図１１】遊技機固定装置の使い方を示す模式図（第１実施形態）。
【図１２】複数の横固定部材の積層形態を示す断面図（第１実施形態）。
【図１３】複数の縦固定部材の積層形態を示す断面図（第１実施形態）。
【図１４】遊技機固定装置を示す分解斜視図（第２実施形態）。
【図１５】横固定部材の組立構造を示す断面図（第２実施形態）。
【図１６】縦固定部材の組立構造を示す断面図（第２実施形態）。
【図１７】横固定部材と縦固定部材との取付工程を示す工程図（第２実施形態）。
【符号の説明】
【００５１】
１    遊技機枠
１２  上横片（横片）
１３  下横片（横片）
１４  左縦片（縦片）
１５  右縦片（縦片）
１８  横固定取付孔
２０  縦固定取付孔
２１  横固定部材
２２  縦固定部材
２３  横固定本体
２４  横係合具
２６  縦固定本体
２７  縦係合具
２８  縦連結部材（連結部材）
３５  横係合片（係合片）
４４  横連結片（連結片）
５１  縦係合片（係合片）
５５  操作体
１０１  横係合具
１０２  縦係合具
１０６；１１６  弾性体
１０８；１１８  係合部
Ｈ１；Ｈ３  長さ
【図１】
2005143555.tif 000003
【図２】
2005143555.tif 000004
【図３】
2005143555.tif 000005
【図４】
2005143555.tif 000006
【図５】
2005143555.tif 000007
【図６】
2005143555.tif 000008
【図７】
2005143555.tif 000009
【図８】
2005143555.tif 000010
【図９】
2005143555.tif 000011
【図１０】
2005143555.tif 000012
【図１１】
2005143555.tif 000013
【図１２】
2005143555.tif 000014
【図１３】
2005143555.tif 000015
【図１４】
2005143555.tif 000016
【図１５】
2005143555.tif 000017
【図１６】
2005143555.tif 000018
【図１７】
2005143555.tif 000019